(57)【特許請求の範囲】
【請求項１】
共通バスと接続されカードに、前記共通バスを制御する共通バス制御部と、前記共通バス制御部とバス接続されて前記カードの制御をするカード制御部と、前記カード制御部とバス接続されランプの点灯および消灯を操作する表示操作部と、前記カード制御部とバス接続されるタイマと、を具備し、
前記カード制御部は、
前記共通バス制御部に共通バスを閉塞するように指示制御信号を出力してハイインピーダンス状態を開始する、と同時に前記タイマに第１の所定時間を設定し、
前記共通バス制御部からの閉塞処理完了の通知を受けると、前記表示操作部に対して前記ランプの点灯を指示する、と同時に前記タイマに第１の所定時間よりも短い第２の所定時間を設定し、
前記タイマにおいて前記第２の所定時間が満了すると、前記表示操作部に対して前記ランプの消灯を指示し、
前記タイマにおいて前記第１の所定時間が満了すると、前記表示操作部に対して前記ランプの点灯を指示する、と同時に前記タイマに第３の所定時間を設定し、
前記タイマにおいて前記第３の所定時間が満了すると、前記表示操作部に対して前記ランプの消灯を指示する、と同時に前記共通バス制御部に前記共通バスの閉塞を解除するように指示制御信号を出力してハイインピーダンス状態を終了する、
通信制御装置。
【請求項２】
請求項１に記載の通信制御装置を備えることを特徴とする基地局装置。
【請求項３】
請求項１に記載の通信制御装置を備えることを特徴とする移動局装置。
【請求項４】
請求項１に記載の通信制御装置を備えることを特徴とする制御局装置。
【発明の詳細な説明】
【０００１】
【発明の属する技術分野】
本発明は、通信制御装置、基地局装置、移動局装置、及び制御局装置に関する。
【０００２】
【従来の技術】
従来、複数のカードから構成される通信制御装置には、装置のサービスを止めずにカードを交換できるようにしたものがある。この種の通信制御装置には、対象カードから他のカードに接続されるバス（以下、「共通バス」という）への信号の入出力を閉塞（以下、「ハイインピーダンス」という）状態にし、カードを抜き去ることにより、カードの交換ができるようにしたものである。
【０００３】
この種の通信制御装置には、保守者に対して抜き取り操作が不可となった時期を認識させる必要があり、ハイインピーダンス状態の終了と同時に、カード前面の全ランプの点灯を開始し、その後一定時間（１秒程度）点灯状態を保つ表示をするものがある。この種の通信制御装置には、例えば特開平１０−２７０４７号公報（パッケージの閉塞方法）に開示されているものがある。この通信制御装置では、バスを共有し活線挿抜が可能な複数のパッケージによって構成され、パッケージの活線挿抜を装置内の動作に影響を与えないように構成したものがある。
【０００４】
【発明が解決しようとする課題】
しかしながら、この種の通信制御装置では、抜き取り操作が不可となったことを、保守者にハイインイーダンス状態の終了と同時に知らせる必要がある。このため、保守者が状態を認識して操作を行うまでにわずかな時間が必要になり、ランプ状態を確認した時点にハイインピーダンス状態であっても、カードの抜き取り操作を開始するまでにハイインピーダンス状態が終了することがある。このようなハイインピーダンス状態の終了後にカードが抜き去られた場合には、カードが物理的に故障したり、運用中のサービスに障害を与えることがあるので、このような誤操作を保守運用上から防止する必要がある。
【０００５】
また全ランプの点灯には、統一した制御が必要になるが、送信ランプや受信ランプのようにハードに直結した他のランプと同時に点灯させることは回路設計の増加やコスト増の要因になることがある。
【０００６】
このような実情に鑑みて本発明はなされたものであり、保守者がハイインピーダンス状態の終了後にカードを抜き去る必要がなく、主要ランプを点灯させることにより、誤操作を保守者に迅速に知らしめることができる通信制御装置、基地局装置、移動局装置、及び制御局装置を提供することを目的とする。
【０００７】
【課題を解決するための手段】
このような目的を達成するため本発明の一態様の通信制御装置は、共通バスと接続されカードに、前記共通バスを制御する共通バス制御部と、前記共通バス制御部とバス接続されて前記カードの制御をするカード制御部と、前記カード制御部とバス接続されランプの点灯および消灯を操作する表示操作部と、前記カード制御部とバス接続されるタイマと、を具備し、前記カード制御部は、前記共通バス制御部に共通バスを閉塞するように指示制御信号を出力してハイインピーダンス状態を開始する、と同時に前記タイマに第１の所定時間を設定し、前記共通バス制御部からの閉塞処理完了の通知を受けると、前記表示操作部に対して前記ランプの点灯を指示する、と同時に前記タイマに第１の所定時間よりも短い第２の所定時間を設定し、前記タイマにおいて前記第２の所定時間が満了すると、前記表示操作部に対して前記ランプの消灯を指示し、前記タイマにおいて前記第１の所定時間が満了すると、前記表示操作部に対して前記ランプの点灯を指示する、と同時に前記タイマに第３の所定時間を設定し、前記タイマにおいて前記第３の所定時間が満了すると、前記表示操作部に対して前記ランプの消灯を指示する、と同時に前記共通バス制御部に前記共通バスの閉塞を解除するように指示制御信号を出力してハイインピーダンス状態を終了する。
【００１０】
このように構成することにより、共通バスを制御するとき、バス接続されるカードの制御をし、カード制御部とバス接続され表示操作をし、カード制御をする際にバス接続し所定時間をタイマーで設定し、保守者がハイインピーダンス状態の終了後に対象物であるカードを抜き去ることなく、主要ランプを点灯させて表示することにより、誤操作を保守者に迅速に視覚により知らしめることができる。
【００１２】
このように構成することにより、共通バスの制御をするとき、共通バスを閉塞するように指示制御信号を出力してハイインピーダンス状態を開始し、保守者がハイインピーダンス状態の終了後に対象物であるカードを抜き去ることなく、主要ランプを点灯させることにより、誤操作を保守者に迅速に知らしめることができる。
【００１４】
このように構成することにより、共通バス制御をする際に閉塞処理完了の通知を受けると、表示操作をするとき表示操作指示をするようにし、保守者がハイインピーダンス状態の終了後に対象物であるカードを抜き去ることなく、主要ランプを点灯させることにより、誤操作を保守者に迅速に知らしめることができる。
【００２７】
【発明の実施の形態】
以下、本発明の実施の形態について、図面を参照して詳細に説明する。
【００２８】
図１は、本発明の実施の形態１に係る通信制御装置の主な構成を示すブロック図である。図１において、通信制御装置１００は、対象物である説明対象カード１１０と他カード１２０，１３０，１４０が共通バス１５０に双方向バス接続されている。
【００２９】
説明対象カード１１０は、共通バス１５０と双方向バス接続され共通バス１５０を制御する共通バス制御部（共通バス制御手段）１１１と、共通バス制御部１１１と双方向バス接続されて説明対象カード１１０の制御をするカード制御部（対象物制御手段）１１２と、カード制御部１１２と双方向バス接続され表示（報知）操作をする表示操作部（操作手段）１１４と、カード制御部１１２とバス接続され、所定時間を設定するタイマ部（時間設定手段）１１３と、を具備するようなっている。
【００３０】
このように構成することにより、共通バス１５０と接続される説明対象カード１１０に、共通バス１５０を制御する際に、説明対象カード１１０に共通バス１５０が接続されているため、通信制御装置１００に誤操作があるとき、共通バス１５０により所定時間の設定をし報知操作をし、保守者がハイインピーダンス状態の終了後に説明対象カード１１０であるカードを抜き去ることなく、主要ランプを点灯させることにより、誤操作を保守者に迅速に知らしめることができる。
【００３１】
以上のように構成された通信制御装置１００の動作を説明する。先ず、説明対象カード１１０の図示しないリセットスイッチの押下を認識してカード制御部１１２にリセットスイッチ押下を通知する。
【００３２】
カード制御部１１２は、共通バス制御部１１１に共通バス１５０を閉塞するように指示を出すことによりハイインピダンス状態を開始する。また同時にカード制御部１１２では、タイマ部１１３に対して，例えば９秒間のタイマを設定する。
【００３３】
カード制御部１１２は、共通バス制御部１１１からの閉塞処理完了の通知を受けると、表示操作部１１４に対して、全ランプの点灯を指示する。また同時にタイマ部１１３に対して２００ミリ秒間のタイマを設定する。２００ミリ秒間経過後は、タイマ部１１３がタイマが満了したことをカード制御部１１２に通知し、カード制御部１１２において全ランプの消灯を指示する。
【００３４】
タイマ部１１３は、９秒タイマが満了すると、タイマが満了したことをカード制御部１１２に通知する。カード制御部１１２では、表示操作部１１４に対して、全ランプの点灯を指示する。また同時にカード制御部１１２では、タイマ部１１３に対して１秒間のタイマを設定する。
【００３５】
タイマ部１１３は、１秒経過後にタイマが満了したことをカード制御部１１２に通知する。カード制御部１１２では、表示操作部１１４に対して、全ランプの消灯を指示する。また同時に共通バス制御部１１１に対して共通バス１５０の閉塞を解除するように指示を出して、ハイインピーダンス状態を終了する。
【００３６】
以降、カード制御部１１２は、説明対象カード１１０の再度の初期化の後に、当該カードがシステムの運用に組み込まれるように制御を行う。以上により、保守者に対して、ハイインピーダンス状態の開始と終了の１秒前の予告をすることができる。
【００３７】
なお、タイマ部１１３は、設定時間として２００ミリ秒、１秒、９秒の設定時間が適切であるが、他の値を使用しても構わないことは言うまでもない。なお、ハイインピーダンスの開始を表す全ランプの点灯時間と終了を予告する全ランプの点灯時間を同じ時間とすることも可能であるが、ある程度の時間に差をつけておいたほうが、開始か終了かの保守者の誤認識をさらに防止することができるので、効果的である。
【００３８】
またタイマ部１１３に対して設定する時間と他の処理との関係について、これまでの説明で、便宜上同時としたが、厳密な意味で同時である必要がなく、タイマ部１１３の設定時間２０００ミリ秒、１秒、９秒に比べて十分小さい時間であれば、処理が前後して良いことは言うまでもない。
【００３９】
また本実施の形態では、ハイインピーダンスの終了時に全ランプを消灯するとしたが、保守者にハイインピーダンスの終了を予告した後、保守者が認識するのに十分な時間を経過していれば、全ランプの消灯をハイインピーダンスの終了の前に行っていても、後に行っても良いことは言うまでもない。
【００４０】
さらに本実施の形態では、全ランプの点灯としたが、保守者がハイインピーダンス状態の終了予告とわかるランプの点消灯であれば良く、主要なランプの全点灯や、ランプ組み合わせによる点消灯、専用ランプの点灯または消灯とすることも考えられる。またランプの点滅を使用することも可能である。
【００４１】
以上のように本実施の形態では、ハイインピーダンスの終了を事前にカード前面に予告表示することができる。またカードの抜き去りに際しては、ハイインピーダンス状態の開始及び終了を保守者に認識させ、誤操作防止の優れた通信制御装置を提供することができるようになる。
【００４２】
上記実施の形態の通信制御装置には、基地局装置に用いる基地局通信制御装置、移動局装置に用いる移動局通信制御装置あるいは制御局装置に用いる制御局通信制御装置に適用することができる。
【００４３】
【発明の効果】
以上説明したように本発明によれば、主要ランプを点灯させることにより、誤操作を保守者に迅速に知らしめることができる通信制御装置、基地局装置、移動局装置、及び制御局装置を提供することができる。
【図面の簡単な説明】
【図１】本発明の実施の形態に係る通信制御装置の主要な構成を説明するブロック図
【符号の説明】
１００  通信制御装置
１１０  説明対象カード
１１１  共通バス制御部
１１２  カード制御部
１１３  タイマ部
１１４  表示操作部
１２０，１３０，１４０  他カード
１５０  共通バス
【図１】
0004624529.tif 000002